(57)【要約】【課題】太いリード線を直接半田付けしても、リード線接続用タブがベースフィルムから剥がれない歪ゲージとロードセルの提供。【解決手段】ベースフィルム２１と、ベースフィルム２１上に設けられた歪受感素子２２及び接続タブ（２３，２４）を有する金属箔パターン２００と、金属箔パターン２００を歪受感素子を覆うカバーフィルム２５と、を備えた歪ゲージ２０において、カバーフィルム２５は、接続タブ（２３，２４）を覆う位置まで延設されるとともに、接続タブ（２３，２４）の位置に接続タブ２３よりも小さい孔（２６，２７）が形成され、孔（２６，２７）を介して接続タブ（２３，２４）が露出されるようにした。【選択図】  図１
2010243192.tif 000002
【特許請求の範囲】
【請求項１】
ベースフィルムと、該ベースフィルム上に設けられた歪受感素子及び接続タブを有する金属箔パターンと、前記金属箔パターンの歪受感素子を覆うカバーフィルムと、を備えた歪ゲージにおいて、
前記カバーフィルムは、前記接続タブを覆う位置まで延設されるとともに、前記接続タブの位置に前記接続タブよりも小さい孔が形成され、該孔を介して前記接続タブが露出されることを特徴とする、歪ゲージ。
【請求項２】
前記金属箔パターンは、前記歪受感素子の抵抗値を調整する抵抗値調整部を有し、前記カバーフィルムは、前記抵抗値調整部を覆う位置まで延設されるとともに、前記抵抗値調整部の位置に抵抗値調整用孔が形成され、該抵抗値調整用孔を介して前記抵抗値調整部が露出されることを特徴とする請求項１に記載の歪ゲージ。
【請求項３】
前記抵抗値調整部は、並列に接続された複数の導電路と、該導電路ごとに設けられ、短絡させることによって前記導電路を導通させる一対の短絡用端子とを備え、
前記一対の短絡用端子ごとに前記抵抗値調整用孔が設けられ、該抵抗値調整用孔を介して前記一対の短絡用端子が露出されることを特徴とする請求項２に記載の歪ゲージ。
【請求項４】
前記抵抗値調整部は、並列に接続されるとともに、少なくともその一つを切断することによって前記抵抗値が調整される複数の導電路を備え、
前記導電路ごとに前記抵抗値調整用孔が設けられ、該抵抗値調整用孔を介して導電路が露出されることを特徴とする請求項２に記載の歪ゲージ
【請求項５】
前記孔はレーザー加工によって形成されることを特徴とする請求項１〜４のいずれか１に記載の歪ゲージ。
【請求項６】
請求項１〜５のいずれか１に記載の歪ゲージと、該歪ゲージが起歪部に取り付けられた起歪体と、前記歪ゲージの前記孔に挿通されて前記接続タブに接続されたリード線とを備えることを特徴とするロードセル。
【発明の詳細な説明】
【技術分野】
【０００１】
本発明は、起歪体に発生する歪を測定する歪ゲージに係り、特にベースフィルム上に設けたリード線接続タブを含む金属箔パターンをカバーフィルムで被覆した歪ゲージに関する。
【背景技術】
【０００２】
歪ゲージは、起歪体に形成した薄肉部に貼付して荷重を負荷し、前記起歪体と共に変形した際に歪受感素子に発生する電気抵抗の変化から荷重を計測可能にするものである。
【０００３】
一般に特許文献１のような歪ゲージは、合成樹脂等で形成したベース１１上に金属箔を熱硬化型の接着剤で接着し、前記金属箔をエッチング処理することにより、ゲージ素子１２（歪受感素子）やリード線接続用端部１２ａ（タブ）の形状パターンをベース１１上に形成することによって構成される。また、ベース１１とゲージ素子１２には、上から被せたカバーフィルム１３を接着して保護する一方、端部１２ａについては、リード線１４を接続するため、カバーフィルム１３から露出させる構成になっていた。
【先行技術文献】
【特許文献】
【０００４】
【特許文献１】特開平３−２５１７０４号公報
【発明の概要】
【発明が解決しようとする課題】
【０００５】
特許文献１の端部１２ａは、厚さが数ミクロン程度と薄く、ゲージ端子１２のようにカバーフィルム１３によってベース１１に補助的に貼付けられていないため、一般的な太いリード線１４（例えばφ0.3〜0.6mm程度の被服導線）を半田付けすると、過度の熱を加えられて図６に示すようにベース１１から剥がれることがあった。特に、サイズの小さな歪ゲージは、端部１２ａ自体が極めて小さいため、熱によって剥がれやすい。従って、サイズが小さい端部１２ａには、半田付けの際に高熱を発生する太いリード線を直接半田付け出来ない問題があった。
【０００６】
そこで端部１２ａの剥離を防止しつつ、小さな端部１２ａに上述したような太いリード線を接続する場合には、間に中継用ＦＰＣ基板（フレキシブルプリント基板）を介在させていた。即ち、太いリード線１４は、端部１２ａに直接接続されずに前記中継用ＦＰＣ基板（図示せず）の回路に接続され、歪ゲージの端部１２ａは、半田付けによる熱が小さくなる細いリード線（たとえばφ0.1mm程度の単線）で前記回路に接続されることにより、端部１２ａは、ベース１１から剥がれることなく太いリード線１４に接続されていた。
【０００７】
しかし、中継用のＦＰＣ基板を用意することは、部品点数の増加とコストアップに繋がるため、一般的な太いリード線は、端部１２ａをベース１１から剥離させることなく、直接端部１２ａに半田付けされることが望ましい。
【０００８】
本願発明は、上記した問題に鑑みてなされたものであり、一般的な太いリード線をサイズが小さな歪ゲージのリード線接続タブ（ゲージ素子の端部）に直接半田付けしても、前記接続タブがベースフィルムから剥がれない歪ゲージとロードセルを提供するものである。
【課題を解決するための手段】
【０００９】
請求項１の歪ゲージは、ベースフィルムと、該ベースフィルム上に設けられた歪受感素子及び接続タブを有する金属箔パターンと、前記金属箔パターンの歪受感素子を覆うカバーフィルムと、を備えた歪ゲージにおいて、前記カバーフィルムは、前記接続タブを覆う位置まで延設されるとともに、前記接続タブの位置に前記接続タブよりも小さい孔が形成され、該孔を介して前記接続タブが露出されるようにした。
【００１０】
（作用）カバーフィルムの接続タブの位置に該接続タブよりも小さい孔が形成されているので、接続タブは、孔の全周においてカバーフィルムによって押さえられている。
【００１１】
請求項２は、請求項１の歪ゲージにおいて、前記金属箔パターンは、前記歪受感素子の抵抗値を調整する抵抗値調整部を有し、前記カバーフィルムは、前記抵抗値調整部を覆う位置まで延設されるとともに、前記抵抗値調整部の位置に抵抗値調整用孔が形成され、該抵抗値調整用孔を介して前記抵抗値調整部が露出されるようにした。
【００１２】
（作用）カバーフィルムには、抵抗値調整用孔が形成され、金属箔パターンの抵抗値調整部が前記抵抗値調整用孔から露出する。金属箔パターンの抵抗値は、抵抗値調整部を加工（短絡やカット等）する作業を抵抗値調整用孔の内部で行うことによって調整される。
【００１３】
請求項３は、請求項２の歪ゲージにおいて、前記抵抗値調整部は、並列に接続された複数の導電路と、該導電路ごとに設けられ、短絡させることによって前記導電路を導通させる一対の短絡用端子とを備え、前記一対の短絡用端子ごとに前記抵抗値調整用孔が設けられ、該抵抗値調整用孔を介して前記一対の短絡用端子が露出されるようにした。
【００１４】
（作用）抵抗値調整用孔のうち一つに半田などを流し込むことにより、長さの異なる複数の導電路のうち一つが導通されて、抵抗値調整用孔の外部に影響を与えることなく金属箔パターンの抵抗値が調整される。
【００１５】
請求項４は、請求項２に記載の歪ゲージにおいて、前記抵抗値調整部は、並列に接続されるとともに、少なくともその一つを切断することによって前記抵抗値が調整される複数の導電路を備え、前記導電路ごとに前記抵抗値調整用孔が設けられ、該抵抗値調整用孔を介して導電路が露出されるようにした。
【００１６】
（作用）複数の導電路のうち一本を残し、他の導電路を抵抗値調整用孔の内部で切断することにより、抵抗値調整用孔の外部に影響を与えることなく抵抗値が調整される。
【００１７】
請求項５は、請求項１〜４のいずれか１に記載の歪ゲージにおいて、前記孔をレーザー加工によって形成した。
【００１８】
（作用）レーザー加工によって孔を形成した場合には、孔の位置及び大きさの精度が向上する。
【００１９】
請求項６は、請求項１〜５のいずれか１に記載の歪ゲージが起歪部に取り付けられた起歪体と、前記歪ゲージの前記孔に挿通されて前記接続タブに接続されたリード線とを備えるロードセルを構成した。
【００２０】
（作用）リード線を接続しても接続タブの浮き上がりがないので、歪ゲージを起歪体に取り付けたロードセルの故障が少ない。
【発明の効果】
【００２１】
請求項１の歪ゲージによれば、カバーフィルムの接続タブの位置に該接続タブよりも小さい孔が形成されているので、接続タブは、孔の全周においてカバーフィルムによって押さえられている。従って、接続タブの露出部分（即ち、孔の内部の接続タブ）にリード線などを半田付けした場合、接続タブが孔の周囲のカバーフィルムに押さえられているので、接続タブが浮き上がることを防止することが出来る。
【００２２】
請求項２の歪ゲージによれば、カバーフィルムに抵抗値調整用孔が形成され、この抵抗値調整用孔を介して金属箔パターンの抵抗値調整部が露出されている。従って、抵抗値調整部に半田付けやカットなどの加工を施す際、抵抗値調整用孔の内部で作業を行うことになり、周囲への影響を最小限に抑えることが出来る。これにより、非常に細かい作業である抵抗値調整作業を比較的容易に行うことが出来る。
【００２３】
請求項３の歪ゲージによれば、一対の短絡用端子ごとに抵抗値調整用孔が設けられており、この抵抗値調整用孔に半田などを流し込むことによって導電路が導通されて、抵抗値が調整される。その際、半田などが抵抗値調整用孔の外部に拡がりにくいので、作業を容易且つ正確に行うことが出来る。
【００２４】
請求項４の歪ゲージによれば、複数の導電路ごとに抵抗値調整用孔が設けられ、この抵抗値調整用孔の内部で導電路を切断することによって抵抗値が調整される。その際、抵抗値調整用孔の外部を切断するおそれがないので、作業ミスを無くすことが出来る。
【００２５】
請求項５の歪ゲージによれば、レーザー加工によって孔が形成されるので、孔の位置及び大きさの精度が良く、孔が接続タブの位置からずれたり、孔が接続タブからはみ出したりすることを防止できる。これにより、接続タブの浮き上がりを確実に防止することが出来る。
【００２６】
請求項６の歪ゲージによれば、請求項１〜５の歪ゲージと起歪体とリード線とによってロードセルが構成されている。請求項１〜５の歪ゲージは、リード線を接続した場合であっても、接続タブの浮き上がりがないので、歪ゲージを起歪体に取り付けてロードセルを組み立てた際の故障が少ない。
【図面の簡単な説明】
【００２７】
【図１】本発明に係る歪ゲージの第１実施例の平面図。
【図２】図１のＩ−Ｉ分解断面図。
【図３】本発明に係る歪ゲージの第２実施例の平面図。
【図４】本発明に係る歪ゲージの第３実施例の平面図。
【図５】第１実施例の歪ゲージを貼付けたロードセル起歪体の斜視図。
【図６】従来技術に掛かる歪ゲージの平面図。
【発明を実施するための形態】
【００２８】
まず、図１と２によって第１実施例の歪ゲージを説明する。図１は、実施例１の歪ゲージ２０の平面図であり、カバーフィルム２５が透明な状態を示している。図２は、歪ゲージ２０の分解図であり、図１のＩ−Ｉ線に沿う断面を示している。尚、図２は、厚み方向に拡大して示している。実施例１の歪ゲージ２０は、ベースフィルム２１の上に、歪受感素子２２と、リード線の接続タブ（２３，２４）を設け、その上にカバーフィルム２５を設けることで構成されている。
【００２９】
四角形のベースフィルム２１は、例えばポリイミド等の樹脂で形成し、厚さを２０数ミクロン程度とする。歪受感素子２２とリード線接続タブ（２３，２４）は、金属箔パターン２００として以下のような手順でベースフィルム２１上に一体形成する。まず、素材となる金属箔を熱硬化型の接着剤を挟んでベースフィルム２１上に載せ、圧力と熱をかけて前記金属箔をベースフィルム２１に接着する。受感素子２２とタブ（２３，２４）の金属箔パターンは、金属箔上に感光剤を塗布し、受感素子２２とタブ（２３，２４）のパターン形状を施したマスクをしながら光を当てて感光剤を前記パターン形状に硬化させ、パターン形状以外の金属箔をエッチングで取りのぞいて形成される。
【００３０】
金属箔パターン２００を形成したベースフィルム２１の上には、熱硬化型接着剤を挟んでカバーフィルム２５を載せる。四角形でベースフィルム２１と略同じ大きさであるカバーフィルム２５は、例えばポリイミド等の樹脂で形成し、厚さを１０数ミクロン程度とする。カバーフィルム２５には、カバーフィルム２５をベースフィルム２１に載せると、リード線接続タブ（２３，２４）と重なる位置に配置されるリード線挿通用の孔（２６、２７）を予めレーザー加工で形成しておく。孔（２６，２７）は、タブ（２３，２４）上に配置すると、該タブの内側に入るよう、それぞれ該タブより一回り小さく形成する。このようにすると、接続タブ（２３，２４）の外周がカバーフィルム２５によってベースフィルム２１に押し付けられるため、接続タブ（２３，２４）は、リード線（２８，２９）の半田付けによって高温に加熱されても剥がれることがない。
【００３１】
尚、孔２６，２７の形状は、特に限定するものではなく、円形、長円など、加工可能な様々な形状を適宜選択することが出来る。たとえば、図１に示すようにリード線接続タブ（２３，２４）がリード線（２８，２９）の接続方向に長い矩形状の場合、孔（２６，２７）は、前記接続方向に長い楕円形に形成することが好ましい。これにより、リード線（２８，２９）の半田付けを容易に行うことが出来るとともに、半田が孔（２６，２７）からこぼれにくくなる。
【００３２】
歪ゲージ２０は、パターン形成済みのベースフィルム２１とその上に接着剤を挟んで載せたカバーフィルム２５に圧力と高熱を加えて両者を接着することで形成される。出来上がった歪ゲージ２０は、熱硬化型接着剤を間に挟んで、図示しないロードセル起歪体の起歪部に載せ、高熱を加えることで、起歪部の所定位置に接着される。リード線接続タブ（２３，２４）は、中央部（２３ａ，２４ａ）がリード線挿通孔（２６，２７）から露出する。露出したタブ（２３，２４）には、孔（２６，２７）を通して、一般的な太さ（例えば、φ0.3mm〜0.6mm程度の被服電線）のリード線（２８，２９）を直接半田付けする。
【００３３】
上述したように、第１実施例によれば、カバーフィルム２５が接続タブ（２３，２４）を覆う位置まで延設されるとともに、接続タブ（２３，２４）の位置に接続タブ（２３，２４）よりも小さい孔（２６，２７）が形成されている。したがって、接続タブ（２３，２４）は、孔（２６，２７）の全周においてカバーフィルム２５によって押さえられているので、半田等によって熱が加えられた場合であっても接続タブ（２３，２４）が浮き上がることが無い。これにより、リード線（２８，２９）の接続時に剥がれが発生することを防止することが出来る。
【００３４】
図３と図４に記載した第２及び第３実施例は、第１実施例の金属箔パターン２００に抵抗値調整部を設け、カバーフィルムに抵抗値調整用孔を設けた以外、第１実施例と構成が共通する。
【００３５】
図３により、第２実施例の歪ゲージについて説明する。第２実施例の歪ゲージ２０’は、金属箔パターン２００’が第１実施例の歪ゲージにおける歪受感素子２２と、一方のリード線接続タブ２３との間に、抵抗値調整部３０を備え、カバーフィルム２５’が抵抗値調整用孔である短絡用孔（３２〜３４）を有する。
【００３６】
抵抗値調整部３０は、歪受感素子２２側と接続タブ２３側から並列に接続された複数の導電路（３５〜３７）を有する。導電路（３５〜３７）は、導電長さが符号３５＜３６＜３７となるように形成される。また、導電路（３５〜３７）は、途中で分断されており、分断された各端部が歪受感素子２２側と接続タブ２３側に離間している。分断された導電路（３５〜３７）は、歪受感素子２２側の端部に短絡用端子（３５ａ〜３７ａ）を備え、接続タブ２３側の端部に短絡用端子（３５ａ〜３７ａ）と一対になる短絡用端子（３５ｂ〜３７ｂ）を備える。
【００３７】
短絡用孔（３２〜３４）は、カバーフィルム２５’をベースフィルム２１に接着する前に予めレーザー加工で形成しておく。短絡用孔（３２〜３４）は、カバーフィルム２５をベースフィルム２１に接着すると、歪受感素子側の短絡用端子（３５ａ〜３７ａ）及び接続タブ２３側の短絡用端子（３５ｂ〜３７ｂ）が短絡用孔（３２〜３４）から露出する位置と大きさに形成する。
【００３８】
第２実施例の歪ゲージ２０’においては、短絡用孔（３２〜３４）のうちいずれか一つを選択し、選択した短絡用孔から露出する短絡用端子を半田付け（短絡）する。歪受感素子２２からリード線接続タブ２３に至る導電長さ（以降は単に導電長さとする。）は、短絡した位置によって変わるため、第２実施例の歪ゲージ２０’は、前記導電長さを調節することによって、金属箔パターン２００’の内部抵抗を調節することが出来る。
【００３９】
例えば、導電長さが最も短い導電路３５を短絡した場合には、前記歪受感素子２２を含む回路の内部抵抗が最も低くなる。従って、前記回路の内部抵抗を最も低くする場合には、短絡用孔３２を選択して露出する端子（３５ａ，３５ｂ）を半田付けによって接続する。また、前記回路の内部抵抗を２番目に高くする場合には、短絡用孔３３から露出する端子（３６ａ，３６ｂ）を半田付けして、前記導電長さを２番目に長くする。歪受感素子２２を含む回路の内部前記抵抗を最も高くする場合には、短絡用孔３４から端子（３７ａ，３７ｂ）を半田付けして、前記導電長さを最も長くする。
【００４０】
上記の如く構成された第２実施例によれば、短絡用端子３５ａ〜３７ａと短絡用端子３５ｂ〜３７ｂとを短絡させる際、短絡用孔３２〜３４の内部に半田を流し込むので、半田は、短絡用孔３２〜３４の内部に収まりやすく、外部にこぼれにくくなる。従って、半田が短絡用孔３２〜３４の外部にまで拡がって他の端子などに接触することを防止することが出来る。これにより、抵抗値の調整作業を容易に且つ正確に行うことが出来る。
【００４１】
ところで、端子３５ａ〜４０ａ等の抵抗値調整部は、通常接続タブ（２３、２４）と歪受感素子２２との間に設けられている。このため、第１実施例のようにカバーフィルム２５を接続タブ（２３，２４）の位置まで延設した場合には、抵抗値調整部の位置までカバーフィルム２５が延設されることになる。第２実施例では、抵抗値調整部の位置に短絡用孔３２〜３４を形成しているので、カバーフィルム２５を接続タブ（２３，２４）の位置まで延設した場合であっても、抵抗値調整部の加工を行うことが出来る。
【００４２】
次に、図４により、第３実施例の歪ゲージについて説明する。第３実施例の歪ゲージ２０’’は、歪受感素子２２と接続タブ２３に並列に接続され、かつ分断された３つの導電路のうち１つを短絡することによって、金属箔パターン２００’の内部抵抗を調節する第２実施例の歪ゲージ２０’とは逆に、歪受感素子２２と接続タブ２３との間に並列に連続して設けられた３つの導電路（４２〜４４）のうち２つを分断することによって、金属箔パターン２００’’の内部抵抗を調節するものである。
【００４３】
第３実施例の歪ゲージ２０’’は、金属箔パターン２００’’が歪受感素子２２と一方のリード線接続タブ２３との間に抵抗値調整部３０’を備える。抵抗値調整部３０’は、歪受感素子２２側と接続タブ２３側から並列に接続され、かつ連続する複数の導電路（４２〜４４）を有する。導電路（４２〜４４）は、導電長さが符号４２＜４３＜４４となるように形成される。また、カバーフィルム２５’’には、導電路（４２〜４４）と対応する位置に抵抗値調整用孔であるパターンカット用孔（４５〜４７）を設けている。それ以外の第３実施例の構成は、第２実施例と共通する。
【００４４】
また、パターンカット用孔（４５〜４７）は、ベースフィルム２５’’をカバーフィルム２１に接着する前に予めレーザ加工で形成しておき、カバーフィルム２５’’をベースフィルム２１に接着すると、導電路（４２〜４４）の一部がパターンカット用孔（４５〜４７）からそれぞれ露出する位置に形成される。
【００４５】
第３実施例の歪ゲージ２０’’においては、導電路（４２〜４４）のうちいずれかを一つ選択し、残りの二つを先の尖った工具等でカット（分断）する。第３実施例の歪ゲージ２０’’は、どの導電路をカットせずに残すかによって、金属箔パターン２００’’の内部抵抗を調節することが出来る。
【００４６】
例えば、導電長さが最も短い導電路４２を残し、パターンカット用孔（４６，４７）から露出する導電路（４３，４４）をカットした場合には、歪受感素子２２を含む回路の内部抵抗が最も低くなる。また、導電路４３を残し、パターンカット用孔（４５，４７）の導電路（４２，４４）をカットした場合には、前記回路の内部抵抗が２番目に高くなり、導電長さが最も長い導電路４４を残し、パターンカット用孔（４５，４６）の導電路（４２，４３）をカットした場合には、前記回路の内部抵抗が最も高くなる。
【００４７】
上記の如く構成された第３実施例によれば、導電路４２〜４４をパターンカット用孔４５〜４７の内部で切断するので、周囲の他の導電路４２〜４４や歪受感素子２２等を誤ってカットしてしまうことがない。従って、抵抗値の調整作業を容易に且つ正確に行うことが出来る。また、第３実施例によれば、接続タブ（２３，２４）と歪受感素子２２との間に設けられている導電路（４２〜４４）に対応する位置にパターンカット用孔（４５〜４７）を形成しているので、カバーフィルム２５を接続タブ（２３，２４）の位置まで延設した場合であっても、パターンカット用孔（４５〜４７）を介して導電路（４２〜４４）のカットを行うことが出来る。
【００４８】
尚、第２実施例と第３実施例を組み合わせた態様の歪ゲージを形成することも出来る。即ち、歪ゲージには、短絡タイプの抵抗値調整部とカットタイプの抵抗値調整部の双方を設けるとともに、それぞれを露出させる孔をカバーフィルムに設けるようにしてもよい。
【００４９】
また、第２及び第３実施例においては、導電路を３つ設けているが、複数の導電路は、２つであっても４つ以上であっても良い。更に、複数の導電路のうち、短絡を行う導電路の数やカットせずに残す導電路の数は、１つに限定されるものではなく、複数であってもよい。
【００５０】
更に、上述した実施例２と３では、短絡やカットによって抵抗値を調整するようにしたが、抵抗値の調整方法は、これに限定する物ではなく、様々な態様が可能である。例えば、導電路を部分的に削って幅を狭めたり、薬剤などを塗布したりすることによって、抵抗値を調整してもよい。これらの場合にも抵抗値調整部が露出されるようにカバーフィルムに孔を設けることによって、抵抗値の調整作業を容易に且つ正確に行うことが出来る。
【００５１】
尚、図５に示しているのは、第１実施例の歪ゲージを貼付けたロードセル起歪体の実施例である。歪ゲージ２０は、起歪体４８の最薄肉部４８ｂの上に歪受感素子２２が配置されるよう、貼付面４８ａに熱硬化型接着剤で接着し、リード線（２８，２９）を孔（２６，２７）から露出した接続タブ（２３，２４）に半田付けする（符号４９，５０）。ロードセルの起歪体４８に第１実施例の歪ゲージ２０を使用した場合には、リード線（２８，２９）を半田付けしても、接続タブ（２３，２４）の浮き上がりがないので、歪ゲージ２０を起歪体４８に取り付けてロードセルを組み立てた際の故障が少ない。
【符号の説明】
【００５２】
２０，２０’，２０’’             歪ゲージ
２１                          ベースフィルム
２００，２００’，２００’’      金属箔パターン
２２                          歪受感素子
２３，２４                    リード線接続用タブ
２５                          カバーフィルム
２６，２７                    孔
３０，３０’                    抵抗値調整部
３２〜３４                    短絡用孔（抵抗値調整用孔）
３５〜３７                    複数の導電路
３５ａ〜３７ａ                短絡用端子
３５ｂ〜３７ｂ                短絡用端子
４２〜４４                    複数の導電路
４５〜４７                    パターンカット用孔（抵抗値調整用孔）
【図１】
2010243192.tif 000003
【図２】
2010243192.tif 000004
【図３】
2010243192.tif 000005
【図４】
2010243192.tif 000006
【図５】
2010243192.tif 000007
【図６】
2010243192.tif 000008